(57)【要約】      （修正有）【課題】発行される記録用紙を確実に保持できる使い勝手のよい排紙トレイを提供する。【解決手段】プリンターから排出される記録用紙を保持する排紙トレイ５０であって、前記記録用紙を保持する方形形状の用紙保持部５４と、前記用紙保持部５４から隆起する隆起部５６とを備え、前記用紙保持部５４は、１つの辺が前記プリンターの前記記録用紙の紙排出口に対して１段落ち込む位置に配置されるとともに、前記１つの辺を起点として水平面に対し第１の角度θ１を有するように配置され、前記隆起部５６は、保持面５５上の前記記録用紙の排出方向の下流側に形成され、前記水平面に対し第２の角度θ２を有する隆起面６６を有し、前記隆起面６６は、前記記録用紙の幅より狭い幅に形成されている。【選択図】図３
2014169138.tif 000002
【特許請求の範囲】
【請求項１】
印刷装置から排出される記録用紙を保持する排紙トレイであって、
前記記録用紙を保持する用紙保持部と、
前記用紙保持部から隆起する隆起部と、を備え、
前記用紙保持部は、少なくとも１つの辺を有する保持面を有し、前記保持面の１つの辺が前記印刷装置の前記記録用紙の排出位置に対して低い位置に配置されるとともに、前記１つの辺を起点として水平面に対し第１の角度を有するように配置され、
前記隆起部は、前記保持面上の前記記録用紙の排出方向の下流側に形成され、前記水平面に対し第２の角度を有する隆起面を有し、
前記隆起面は、前記記録用紙の幅より狭い幅に形成されていることを特徴とする排紙トレイ。
【請求項２】
前記隆起部は、前記用紙保持部に保持される前記記録用紙の幅方向の中央部にかけて配置されていることを特徴とする請求項１に記載の排紙トレイ。
【請求項３】
前記用紙保持部の前記排出方向に沿う長さは、前記記録用紙の前記排出方向に沿う一辺の長さより短いことを特徴とする請求項１または２に記載の排紙トレイ。
【請求項４】
前記隆起部の前記第２の角度は、前記用紙保持部の前記第１の角度と比較して、大きいことを特徴とする請求項１乃至３のいずれか一項に記載の排紙トレイ。
【請求項５】
前記用紙保持部には、保持される前記記録用紙の幅方向に壁状の規制部が設けられていることを特徴とする請求項１乃至４のいずれか一項に記載の排紙トレイ。
【請求項６】
少なくとも前記用紙保持部と前記隆起部とが一体に形成されていることを特徴とする請求項１乃至５のいずれか一項に記載の排紙トレイ。
【請求項７】
前記印刷装置に対し着脱自在であることを特徴とする請求項１乃至６のいずれか一項に記載の排紙トレイ。
【請求項８】
記録用紙を搬送する紙搬送機構と
搬送される前記記録用紙に情報を印刷する印刷機構と、
前記記録用紙が排出される紙排出口に配置される請求項１乃至７のいずれか一項に記載の排紙トレイと、を備えたことを特徴とする印刷装置。
【発明の詳細な説明】
【技術分野】
【０００１】
本発明は、排紙トレイ、およびそれを備えた印刷装置に関する。
【背景技術】
【０００２】
記録用紙に情報を印刷するプリンター等の印刷装置は、情報が印刷された記録用紙を紙排出口から排出する。これらの記録用紙は、紙排出口近くに設けられた排紙トレイに単葉もしくは積層状態で保持される（例えば、特許文献１参照）。
【先行技術文献】
【特許文献】
【０００３】
【特許文献１】特開２００２−６８５６０号公報
【発明の概要】
【発明が解決しようとする課題】
【０００４】
上述の排紙トレイは、記録用紙を確実に保持するために、記録用紙の搬送方向の長さとほぼ同等の長さを有する紙保持部を備えている。そのため、排紙トレイのサイズも大きくなってしまい、排紙トレイを備えたプリンター全体として専有面積が大きくなってしまうという課題があった。また、排紙トレイの紙保持部に発行された記録用紙が接触状態で積層されるため、記録用紙が排紙トレイから取り出しにくいとの課題もあった。
【課題を解決するための手段】
【０００５】
本発明は、上述の課題の少なくとも一部を解決するためになされたものであり、以下の形態または適用例として実現することが可能である。
【０００６】
（適用例１）印刷装置から排出される記録用紙を保持する排紙トレイであって、前記記録用紙を保持する用紙保持部と、前記用紙保持部から隆起する隆起部と、を備え、前記用紙保持部は、少なくとも１つの辺を有する保持面を有し、前記保持面の１つの辺が前記印刷装置の前記記録用紙の排出位置に対して低い位置に配置されるとともに、前記１つの辺を起点として水平面に対し第１の角度を有するように配置され、前記隆起部は、前記保持面上の前記記録用紙の排出方向の下流側に形成され、前記水平面に対し第２の角度を有する隆起面を有し、前記隆起面は、前記記録用紙の幅より狭い幅に形成されていることを特徴とする排紙トレイ。
【０００７】
この構成によれば、印刷装置から排出される記録用紙は、第１の角度を有する排紙トレイの用紙保持部の保持面および第２の角度を有する隆起部の隆起面に沿って進む。排出が完了した記録用紙は、後端部分が、印刷装置の排出位置から１段落ち込んだ段差部に係止され、先端部分が、主に第２の角度で形成された隆起面に沿って斜めに立ち上がった状態で用紙トレイに保持される。そのため、印刷装置に取り付けられた用紙トレイは、記録用紙の排出方向に突出する設置長さを記録用紙の長さに比較して短くすることができる。その結果、排紙トレイを備えたプリンター全体としての専有面積を小さくすることができる。
【０００８】
また、印刷装置から順次排出された記録用紙は、用紙トレイの用紙保持部の保持面および隆起部の隆起面に沿って積層され保持される。隆起面は、記録用紙の幅より狭い幅に形成されている。そのため、隆起面に積層される記録用紙の束は、少なくとも記録用紙の先端部分を含む範囲において、記録用紙の幅方向の一部が保持面より浮き上がった状態で保持される。その結果、ユーザーは、記録用紙の幅方向のいずれかの部分を掴むことによって記録用紙を用紙トレイから容易に取り出すことができる。従って、本発明に係る排紙トレイを備えたプリンターは、全体として専有面積を抑えることができ、かつ、使い勝手のよい排紙トレイを提供することができる。
【０００９】
（適用例２）前記隆起部は、前記用紙保持部に保持される前記記録用紙の幅方向の中央部にかけて配置されていることを特徴とする上記の排紙トレイ。
【００１０】
この構成によれば、印刷装置から排出される記録用紙の搬送負荷のばらつきを低減することができる。また、保持される記録用紙の両端部のいずれからでも掴むことができる。
【００１１】
（適用例３）前記用紙保持部の前記排出方向に沿う長さは、前記記録用紙の前記排出方向に沿う一辺の長さより短いことを特徴とする上記の排紙トレイ。
【００１２】
印刷装置から順次排出された記録用紙は、後端部分が印刷装置の排出位置から１段落ち込んだ段差部に係止され、第１の角度を有する用紙保持部の保持面および第２の角度を有する隆起部の隆起面に沿って斜めに立ち上がった状態で保持される。記録用紙の先端部分は浮いた状態であっても構わない。この構成によれば、印刷装置に取り付けられる用紙トレイは、記録用紙の排出方向に突出する設置長さをさらに短くすることができる。
【００１３】
（適用例４）前記隆起部の前記第２の角度は、前記用紙保持部の前記第１の角度と比較して、大きいことを特徴とする上記の排紙トレイ。
【００１４】
この構成によれば、記録用紙は、第１の角度を有する用紙保持部の保持面、および、保持面の第１の角度より大きい第２の角度で形成された隆起部の隆起面に沿って湾曲した状態で保持される。そのため、記録用紙の排出方向に占める突出長さを短くすることができる。また、記録用紙の両端部が保持面から浮き上がる距離を大きくすることができる。
【００１５】
（適用例５）前記用紙保持部には、保持される前記記録用紙の幅方向に壁状の規制部が設けられていることを特徴とする上記の排紙トレイ。
【００１６】
この構成によれば、記録用紙の幅方向の動きが紙ガイドを代表とする規制部によって規制される。そのため、記録用紙を確実に保持することができる。
【００１７】
（適用例６）少なくとも前記用紙保持部と前記隆起部とが一体に形成されていることを特徴とする上記の排紙トレイ。
【００１８】
この構成によれば、記録用紙の排出動作をスムーズに行うことができる。また、部品点数を抑制することができる。
【００１９】
（適用例７）前記印刷装置に対し着脱自在であることを特徴とする上記の排紙トレイ。
【００２０】
この構成によれば、排紙トレイの下部のスペースを、例えば記録用紙の収納部等に適用した場合、記録用紙の補充作業等を容易に行うことができる。また、印刷作業を休止している印刷装置の専有面積を小さくすることができる。
【００２１】
（適用例８）記録用紙を搬送する紙搬送機構と搬送される前記記録用紙に情報を印刷する印刷機構と、前記記録用紙が排出される紙排出口に配置される上記の排紙トレイと、を備えたことを特徴とする印刷装置。
【００２２】
この構成によれば、印刷され発行される記録用紙を確実に保持でき、記録用紙の取り除き等の取り扱いが容易な排紙トレイ付きのプリンターを提供することができる。また、排紙トレイを取り付けた場合に専有スペースの増大を抑制できる印刷装置を提供することができる。
【図面の簡単な説明】
【００２３】
【図１】本実施形態に係る印刷装置としてのインクジェットプリンターの外観斜視図。
【図２】インクジェットプリンターの断面構成を示す概略断面図。
【図３】本実施形態に係る排紙トレイを説明する図。
【図４】記録用紙の排出動作を説明する図。
【発明を実施するための形態】
【００２４】
以下、本実施形態について図面を参照して説明する。なお、以下の説明で参照する図面では、説明および図示の便宜上、部材ないし部分の縦横の縮尺を実際のものとは異なるように表す場合がある。なお、本実施形態では、印刷装置として、記録用紙にインク滴を吐出して印刷を行うインクジェットプリンターを例にとり説明する。本実施形態のインクジェットプリンターは、例えばＡ４サイズの記録用紙を記録用紙収容部から給紙して情報を印刷して紙排出口から発行するタイプのプリンターである。
【００２５】
（インクジェットプリンターの全体構成について）
まず、インクジェットプリンターの全体構成について、図１を参照して説明する。図１は、インクジェットプリンターの外観斜視図である。なお、図１に示すＸ方向は、記録用紙の排出方向を示し、Ｙ方向は、記録用紙の幅方向を示し、Ｚ方向は、Ｘ方向およびＹ方向と直交する方向を示す。
【００２６】
図１に示すように、プリンター１０は、後述するプリンター機構部２０（図２参照）を、上ケース１３と下ケース１４とから構成されるケース１２の内部に収容する。ケース１２の図中Ｙ方向およびＺ方向に延在する面１２ａには紙排出口１５が開口している。紙排出口１５には、印刷が終了した記録用紙Ｐを保持する排紙トレイ５０が設けられている。この排紙トレイ５０は、ケース１２に対して着脱自在に取り付けられる。また、排紙トレイ５０の図中Ｚ方向下方向には印刷される記録用紙Ｐ（図２参照）を積層して収容する記録用紙収容部２２が配置されている。記録用紙収容部２２は、プリンター機構部２０に対して着脱自在に取り付けられる。なお、排紙トレイ５０の詳細については後述する。
【００２７】
紙排出口１５のＺ方向上部には、動作状態を表示するＬＥＤランプ等からなる表示部１７が設けられている。紙排出口１５のＹ方向両側には、図示しないインクカートリッジを収納する同じく図示しないカートリッジ収納部がそれぞれ設けられている。カートリッジ収納部は、開閉可能なインクカバー１８ａ，１８ｂに覆われている。それぞれのインクカバー１８ａ，１８ｂを開くことで、インクカートリッジを交換することができる。
【００２８】
（プリンター機構部の構成について）
次いで、ケースに収容されるプリンター機構部の構成について、図２を参照して説明する。図２は、インクジェットプリンターの断面構成を示す概略断面図である。なお、図２に示すＸ方向、Ｙ方向およびＺ方向は、図１に示すＸ方向、Ｙ方向およびＺ方向と同一な方向を示す。
【００２９】
図２に示すように、プリンター機構部２０は、上述の記録用紙収容部２２と、紙搬送機構２５と、印刷機構３０と、図示しない制御部とを有している。
【００３０】
紙搬送機構２５は、記録用紙収容部２２を起点とし紙排出口１５を終点とする湾曲した紙搬送経路２１に沿って記録用紙Ｐを搬送する。紙搬送機構２５は、紙搬送経路２１に沿って、順に記録用紙繰り出し機構２３と、第１紙送りローラー対２８と、２つの第２紙送りローラー対２９とを備えている。記録用紙繰り出し機構２３は、外周に一部平面部を有する円弧状の繰り出しローラー２４を備える。繰り出しローラー２４は、図示しない繰り出しモーターから駆動力を得て回転する。繰り出しローラー２４が回転し、記録用紙収容部２２に積層状態で収容されている記録用紙Ｐの表面に円弧部が接触し回転すると、記録用紙Ｐは１枚ずつ紙搬送経路２１に送り込まれる。
【００３１】
第１紙送りローラー対２８は、第１紙送りローラー２８ａと第１押えローラー２８ｂとを備える。第１紙送りローラー２８ａは、紙搬送経路２１の湾曲部を構成する位置に配置される。第１紙送りローラー２８ａは、図示しない紙送りモーターから駆動力を得て回転する。第１押えローラー２８ｂは、第１紙送りローラー２８ａの外周部に所定の押圧力で回転自在に配置されている。第１紙送りローラー対２８は、記録用紙繰り出し機構２３によって紙搬送経路２１に送り込まれた記録用紙Ｐを、第１紙送りローラー２８ａと第１押えローラー２８ｂとの間に挟持し、紙搬送経路２１のストレート部分（Ｘ方向）に送り込む。
【００３２】
２つの第２紙送りローラー対２９は、それぞれ第２紙送りローラー２９ａと第２押えローラー２９ｂとを備える。第２紙送りローラー対２９は、ケース１２の紙排出口１５近傍に２つ並列して設けられ、２つの第２紙送りローラー２９ａは、それぞれ紙搬送経路２１のＺ方向下部に配置される。第２紙送りローラー２９ａは、図示しない紙送りモーターから駆動力を得て回転する。２つの第２押えローラー２９ｂは、それぞれ紙搬送経路２１のＺ方向上部に位置し、第２紙送りローラー２９ａの外周部に所定の押圧力で回転自在に配置されている。第２紙送りローラー対２９は、前述の第１紙送りローラー対２８と協働して、紙搬送経路２１のストレート部分に送り込まれた記録用紙Ｐを紙排出口１５方向に搬送する。なお、図２に示す矢印Ｓは記録用紙Ｐの紙排出口１５での排出方向を示す。
【００３３】
図２に示すように、印刷機構３０は、インクジェットヘッド３２と、キャリッジ３３と、プラテン３４と、図示しないキャリッジ送り機構とを有する。印刷機構３０は、上述の紙搬送機構２５の第１紙送りローラー対２８と第２紙送りローラー対２９との間、詳しくは、紙排出口１５近傍に設けられた第２紙送りローラー対２９側に配置される。
【００３４】
インクジェットヘッド３２は、前述のカートリッジ収納部に収納されたインクカートリッジから供給されるインクをインク滴として吐出する複数の図示しないノズルを有する。インクジェットヘッド３２は、ノズルを図２中Ｚ方向下方、すなわち記録用紙Ｐ側（紙搬送経路２１側）に向けてキャリッジ３３に搭載される。キャリッジ３３は、記録用紙Ｐの幅方向（Ｙ方向）に延在するキャリッジ軸３６に移動可能に支持され、キャリッジ送り機構によってＹ方向に往復移動される。プラテン３４は、インクジェットヘッド３２と紙搬送経路２１を挟んで対峙する位置に配置され、印刷機構３０の印刷位置を規定する機能を有する。
【００３５】
制御部は、上述の紙搬送機構２５および印刷機構３０を含むプリンター１０を統括的に制御する。
【００３６】
上述のプリンター１０は、図示しない外部コンピューター等から印刷命令が送信されると、記録用紙収容部２２に積層状態で収容される記録用紙Ｐを、紙搬送機構２５によって１枚ずつ紙搬送経路２１に沿って所定の紙送りピッチで図中Ｘ方向に搬送する。印刷機構３０は、搬送される記録用紙Ｐに対して、インクジェットヘッド３２を図中Ｙ方向に移動させながら、外部コンピューター等から送信される印刷データに従ってインクをインク滴として選択的に吐出する。その結果、記録用紙Ｐには所望の情報が印刷される。情報が印刷された記録用紙Ｐは、ケース１２の紙排出口１５から排出され後述する排紙トレイ５０に保持される。
【００３７】
（排紙トレイについて）
ここで、本実施形態に係る排紙トレイについて図３を参照して説明する。図３は、本実施形態に係る排紙トレイを説明する図であり、（ａ）は、排紙トレイの外観斜視図、（ｂ）は、排紙トレイの側断面図である。なお、図３に示すＸ方向、Ｙ方向およびＺ方向は、図１に示すＸ方向、Ｙ方向およびＺ方向と同一な方向を示す。
【００３８】
図３（ａ）に示すように、排紙トレイ５０は、紙排出口連絡部５２と、用紙保持部５４と、隆起部５６と、用紙ガイド５８とを有する。なお、本実施形態では、紙排出口連絡部５２、用紙保持部５４、隆起部５６、および用紙ガイド５８は、例えばプラスチック等の樹脂で一体に成型されている。
【００３９】
紙排出口連絡部５２は、方形の平板形状を呈し、紙の排出方向（Ｘ方向）上流側の辺５２ａより所定の高さで立ち上がる壁５３を有している。壁５３のＹ方向両側には、取り付け部６２ａ，６２ｂが形成されている。取り付け部６２ａ，６２ｂは、図１に示すプリンター１０のケース１２の紙排出口１５のＹ方向両端に設けられた図示しない取り付け受け部と脱着可能に係合する。このとき、図２に示すように、紙排出口連絡部５２の辺５２ａは、記録用紙Ｐの排出位置よりＺ方向に一段落ち込む段差を有する位置に配置される。
【００４０】
排紙トレイ５０は、プリンター１０に対して着脱可能となっている。そのため、図１に示す記録用紙収容部２２に新たな記録用紙Ｐを補充もしくは交換するときは、作業の利便性を考慮して取り外すことも可能になる。また、印刷作業が休止のときは、排紙トレイ５０を取り外し、プリンター１０の専有面積を小さくすることも可能である。
【００４１】
用紙保持部５４は、方形の平板形状の保持面５５を有し、紙排出口連絡部５２の下流側の辺５２ｂと用紙保持部５４の上流側の辺５４ａとが一体となっている。図３（ｂ）に示すように、保持面５５は、水平面（ＸＹ平面）より第１の角度θ１で斜めに立ち上がっている。なお、この第１の角度θ１は、記録用紙Ｐのサイズや後述する段差の大きさに従って任意に設定可能である。本実施形態では、約１０°位の角度に設定されている。なお、紙排出口連絡部５２と用紙保持部５４とには、記録用紙Ｐの保持面５５に記録用紙Ｐの搬送方向に沿って、所定の高さの複数のリブ６４が設けられている。
【００４２】
図３（ａ），（ｂ）に示すように、隆起部５６は、本実施形態では、用紙保持部５４の記録用紙Ｐの排出方向（Ｘ方向）に沿う中ほどを起点として、水平面より第２の角度θ２で斜めに立ち上がる隆起面６６を有している。また、隆起部５６（隆起面６６）は、用紙保持部５４の記録用紙Ｐの幅方向（Ｙ方向）のほぼ中央部に記録用紙Ｐの幅もしくは用紙保持部５４の幅より狭い所定の幅に形成されている。なお、この第２の角度θ２は、記録用紙Ｐのサイズや後述する段差の大きさに従って任意に設定可能である。本実施形態では、ほぼ３５°位の角度に設定されている。
【００４３】
用紙ガイド５８は、用紙保持部５４のＹ方向両側に保持面５５の面から立ち上がる２つの壁として形成されている。この用紙ガイド５８は、排出され積層される記録用紙Ｐの横方向を規制する機能を有する。なお、用紙ガイド５８は、前述の隆起部５６を中心に、排出される記録用紙Ｐの横幅に対応してＹ方向に均等に移動可能であってもよい。
【００４４】
（記録用紙の排出動作について）
上述の構成を有する排紙トレイを備えるプリンターの記録用紙の排出動作について、図４を参照して説明する。図４は、記録用紙の排出動作を説明する図である。なお、図４に示すＸ方向、Ｙ方向およびＺ方向は、図１に示すＸ方向、Ｙ方向およびＺ方向と同一な方向を示す。
【００４５】
図４（ａ）に示すように、プリンター１０の紙排出口１５から排出される記録用紙Ｐは、図中矢印Ｓの方向に進み、記録用紙Ｐの先端が自重によって排紙トレイ５０の第１の角度θ１を有する用紙保持部５４の保持面５５、もしくは第２の角度θ２を有する隆起部５６の隆起面６６のいずれかに当たり、保持面５５および／または隆起部５６の隆起面６６に沿って進む（矢印Ｑ）。そして、記録用紙Ｐの後端が第２紙送りローラー対２９の挟持から外れた段階で、紙排出口１５の位置から１段落ち込んだ紙排出口連絡部５２に落ち込み、壁５３に係止される。
【００４６】
図４（ｂ）に示すように、このとき、記録用紙Ｐは、後方部分が第１の角度θ１を有する保持面５５、より詳しくはリブ６４（図３（ａ）参照）で斜めに保持されるとともに、前方部分が第１の角度θ１より大きい第２の角度θ２を有する隆起部５６の隆起面６６によって保持面５５から浮き上がるように保持される。すなわち、記録用紙Ｐは、排紙トレイ５０上に、全体が斜めに立ち上がり、かつ、先端部分が浮き上がる湾曲した状態で保持される。このとき、記録用紙Ｐの先端は、隆起部５６の図中Ｘ方向において外れていてもよい。
【００４７】
このとき、隆起部５６は、用紙保持部５４の記録用紙Ｐの幅方向のほぼ中央部に記録用紙Ｐの幅もしくは用紙保持部５４の幅より狭い所定の幅に形成されている。そのため、湾曲状態で保持される記録用紙Ｐは、少なくとも先端方向の両端部が保持面５５から浮き上がっている。
【００４８】
次いで、記録用紙Ｐが連続的に排出される場合について説明する。紙排出口１５から排出される次の記録用紙Ｐは、既に排紙トレイ５０に湾曲状態で保持されている記録用紙Ｐの表面によって進み、同じく、後端が１段落ち込んだ紙排出口連絡部５２の壁５３に係止され、先端方向が隆起面６６に沿って保持面５５から浮き上がる湾曲状態で保持される。以降、紙排出口１５から排出される記録用紙Ｐも、同様に、先に排出された記録用紙Ｐの上に順次積層され保持される。
【００４９】
このとき、隆起部５６は、用紙保持部５４の記録用紙Ｐの幅方向のほぼ中央部に記録用紙Ｐの幅もしくは用紙保持部５４の幅より狭い所定の幅に形成されている。そのため、図４（ｃ）に示すように、湾曲状態で積層され保持される記録用紙Ｐの束は、少なくとも先端方向の両端部が保持面５５から浮き上がっている。
【００５０】
以下、本実施形態の効果を記載する。
（１）上述の排紙トレイ５０は、記録用紙Ｐを全体が斜めに立ち上がり、かつ、先端部分がさらに浮き上がるように湾曲した状態で保持される。なお、記録用紙Ｐは、後端部分が紙排出口連絡部５２の壁５３に係止されるため、先端部分が排紙トレイ５０の先頭部分から外れていても十分に保持され得る。そのため、プリンター１０に取り付けられた排紙トレイ５０は、記録用紙Ｐの排出方向（Ｘ方向）に突出する設置長さを記録用紙Ｐの長さに比較して短くすることができる。その結果、排紙トレイ５０を備えたプリンター１０全体としての専有面積を小さくすることができる。
【００５１】
（２）プリンター１０から順次排出される記録用紙Ｐは、少なくとも記録用紙Ｐの先端部分を含む範囲において、記録用紙Ｐの幅方向の一部が用紙保持部５４の保持面５５より浮き上がった状態で保持される。そのため、ユーザーは、記録用紙Ｐの幅方向のいずれかの部分を掴むことによって記録用紙Ｐを排紙トレイ５０から容易に取り出すことができる。その結果、使い勝手のよい排紙トレイを提供することができる。
【００５２】
以上、本発明の実施形態について説明したが、上記実施形態に対して本発明の趣旨から逸脱しない範囲で様々な変形を加えることができる。例えば上記実施形態以外の変形例は、以下の通りである。
【００５３】
上記実施形態では、排紙トレイ５０が紙排出口連絡部５２を備えている場合を例にとり説明したがこれに限定しない。紙排出口連絡部５２を省略して用紙保持部５４をプリンター１０の紙排出口１５に直接取り付けてもよい。また、本実施形態では、排紙トレイ５０が一体成型されている場合について説明したがこれに限定されない。少なくとも、用紙保持部５４および隆起部５６が一体であればよい。
【符号の説明】
【００５４】
１０…印刷装置としてのプリンター、１２…ケース、１２ａ…面、１５…紙排出口、２０…プリンター機構部、２１…紙搬送経路、２３…用紙繰り出し機構、２５…紙搬送機構、３０…印刷機構、３２…インクジェットヘッド、５２…紙排出口連絡部、５４…記録用紙保持部、５５…保持面、５６…隆起部、６４…リブ、６６…隆起面、Ｐ…記録用紙。
【図１】
2014169138.tif 000003
【図２】
2014169138.tif 000004
【図３】
2014169138.tif 000005
【図４】
2014169138.tif 000006